(57)【要約】【課題】小型で、結像性能が良好な屈曲ズームレンズを提供すること。【解決手段】この屈曲ズームレンズは、物体側から順に、正の屈折力を有する第１レンズ群ＧＲ１、負の屈折力を有する第２レンズ群ＧＲ２、正の屈折力を有する第３レンズ群ＧＲ３、負の屈折力を有する第４レンズ群ＧＲ４、および正の屈折力を有する第５レンズ群ＧＲ５が配置されて構成される。特に、第１レンズ群ＧＲ１は、物体側から順に、前記物体側に凸面を向けた負の屈折力を有する１枚のメニスカスレンズＬ１（前側レンズ群）、光路を折り曲げるためのプリズムＰ、および正の屈折力を有する１枚の両凸レンズＬ２（後側レンズ群）が配置されて構成されている。【選択図】図１
2007171456.tif 000002
【特許請求の範囲】
【請求項１】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成されていることを特徴とする屈曲ズームレンズ。
【請求項２】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β52×（１−β4W2）｜の値が約１．０〜約２．０になるようにし、かつ、｜β52×（１−β4T2）｜の値が約１．０〜約２．０になるようにしたことを特徴とする屈曲ズームレンズ。
【請求項３】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第５レンズ群の結像倍率をβ5とするとき、
｜β5｜の値が約０．５以下になるようにしたことを特徴とする屈曲ズームレンズ。
【請求項４】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2Tとするとき、
｜β2T｜の値が約１．０以下になるようにしたことを特徴とする屈曲ズームレンズ。
【請求項５】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記第４レンズ群を構成する各レンズの、最も前記物体側面の曲率半径をＲ4a、最も像面側面の曲率半径をＲ4bとするとき、
｜Ｒ4a｜／Ｒ4bの値が約１．１以下になるようにしたことを特徴とする屈曲ズームレンズ。
【請求項６】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにしたことを特徴とする屈曲ズームレンズ。
【請求項７】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにしたことを特徴とする屈曲ズームレンズ。
【請求項８】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、
｜β52×（１−β4W2）｜の値が約１．０〜約２．０になるようにし、かつ、｜β52×（１−β4T2）｜の値が約１．０〜約２．０になるようにし、かつ、｜Ｒ4a｜／Ｒ4bの値が約１．１以下になるようにしたことを特徴とする屈曲ズームレンズ。
【請求項９】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにしたことを特徴とする屈曲ズームレンズ。
【請求項１０】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、
｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにし、かつ、｜Ｒ4a｜／Ｒ4bの値が約１．１以下になるようにしたことを特徴とする屈曲ズームレンズ。
【請求項１１】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、
｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにし、かつ、｜Ｒ4a｜／Ｒ4bの値が約１．１以下になるようにしたことを特徴とする屈曲ズームレンズ。
【請求項１２】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、
｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにし、かつ、｜Ｒ4a｜／Ｒ4bの値が約１．１以下になるようにしたことを特徴とする屈曲ズームレンズ。
【請求項１３】
前記第１レンズ群、前記第３レンズ群、または前記第５レンズ群を構成する各レンズのうち、少なくともいずれか１面に非球面が形成されていることを特徴とする請求項１〜１２のいずれか一つに記載の屈曲ズームレンズ。
【発明の詳細な説明】
【技術分野】
【０００１】
この発明は、デジタルスチルカメラやビデオカメラなどの小型撮像装置に最適な屈曲ズームレンズに関する。
【背景技術】
【０００２】
近年、デジタルスチルカメラやビデオカメラなどの小型撮像装置にあっては、より一層の小型化が求められている。これに伴い、小型撮像装置に搭載される撮影用レンズ、特にズームレンズの小型化が求められている。とりわけ、デジタルスチルカメラに搭載するズームレンズには、広角端における画角が７０度以上であることが要求されている。また、小型撮像装置に搭載される撮像素子の高画素化に伴い、撮影レンズの光学性能の向上も求められている。
【０００３】
このような要求を満足するための、たとえば、最も物体側に配置される第１レンズ群以外のレンズ群を移動させてフォーカシングを行う、いわゆるリアフォーカス式のズームレンズが提案されている（たとえば、下記特許文献１を参照。）。
【０００４】
この特許文献１に記載のズームレンズは、レンズ系全体を比較的容易に小型化し、かつ、画素数の多い固体撮像素子に適した結像性能が得られる。しかし、光路が直線的に構成されているため、レンズ系の短縮化には限界がある。
【０００５】
そこで、レンズ系全長のさらなる短縮化を図るため、第１レンズ群から像面までの光路中にプリズムを配置することにより光路を途中で折り曲げて構成したズームレンズが提案されている（たとえば、下記特許文献２を参照。）。
【０００６】
【特許文献１】特許第３４８６４７４号公報
【特許文献２】特開２００４−３５４８６８号公報
【発明の開示】
【発明が解決しようとする課題】
【０００７】
特許文献２に記載のズームレンズは、変倍時のレンズの可動方向を上下方向、もしくは左右方向とすることで、撮影時におけるレンズの突出部、もしくは突出可動部をなくし、また、プリズムを有する第１レンズ群の大きさを小型化することで、より一層の小型化、薄型化を実現している。しかし、レンズ系の小型化を図るための、第５レンズ群の結像倍率を大きくすると、フォーカス群である第４レンズ群が合焦位置からわずかにずれても画像が著しく劣化する。このため、フォーカス群を正確な合焦位置にあわせることができなくなるような原因（たとえば製造誤差など）が生じた場合に、結像性能の維持が困難になるという問題があった。
【０００８】
この発明は、上述した従来技術による問題点を解消するため、小型で、結像性能が良好な屈曲ズームレンズを提供することを目的とする。
【課題を解決するための手段】
【０００９】
上述した課題を解決し、目的を達成するため、請求項１に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成されていることを特徴とする。
【００１０】
この請求項１に記載の発明によれば、前記第１レンズ群中に光路を折り曲げる光学部材を配置しているので、レンズ系の全長を短くすることができる。
【００１１】
また、請求項２に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、｜β52×（１−β4W2）｜の値が約１．０〜約２．０になるようにし、かつ、｜β52×（１−β4T2）｜の値が約１．０〜約２．０になるようにしたことを特徴とする。
【００１２】
この請求項２に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。
【００１３】
また、請求項３に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第５レンズ群の結像倍率をβ5とするとき、｜β5｜の値が約０．５以下になるようにしたことを特徴とする。
【００１４】
この請求項３に記載の発明によれば、レンズ系全長の短縮化に加え、光の像面への入射角度をほぼ垂直に保つことで、シェーディングなどの発生を防止し、結像性能の劣化を回避することができる。
【００１５】
また、請求項４に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第２レンズ群の望遠端における結像倍率をβ2Tとするとき、｜β2T｜の値が約１．０以下になるようにしたことを特徴とする。
【００１６】
この請求項４に記載の発明によれば、レンズ系全長の短縮化に加え、前記第２レンズ群および前記第４レンズ群を移動させて広角端から望遠端へのズーミングを行う場合に、ズーミングを行う前記第２レンズ群および前記第４レンズ群の移動方向を一方向（物体側から像面側へ）にすることができ、前記第１レンズ群の有効系を小さくすることが可能になる。このため、レンズ系のさらなる小型化が達成できる。
【００１７】
また、請求項５に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記第４レンズ群を構成する各レンズの、最も前記物体側面の曲率半径をＲ4a、最も像面側面の曲率半径をＲ4bとするとき、｜Ｒ4a｜／Ｒ4bの値が約１．１以下になるようにしたことを特徴とする。
【００１８】
この請求項５に記載の発明によれば、レンズ系全長の短縮化に加え、光の像面への入射角度をほぼ垂直に保つことで、シェーディングなどの発生を防止し、結像性能の劣化を回避することができる。
【００１９】
また、請求項６に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにしたことを特徴とする。
【００２０】
この請求項６に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、光の像面への入射角度をほぼ垂直に保つことで、シェーディングなどの発生を防止し、結像性能の劣化を回避することができる。
【００２１】
また、請求項７に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにしたことを特徴とする。
【００２２】
この請求項７に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、前記第２レンズ群および前記第４レンズ群を移動させて広角端から望遠端へのズーミングを行う場合に、ズーミングを行う前記第２レンズ群および前記第４レンズ群の移動方向を一方向（物体側から像面側へ）にすることができ、前記第１レンズ群の有効系を小さくすることが可能になる。このため、レンズ系のさらなる小型化が達成できる。
【００２３】
また、請求項８に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、｜β52×（１−β4W2）｜の値が約１．０〜約２．０になるようにし、かつ、｜β52×（１−β4T2）｜の値が約１．０〜約２．０になるようにし、かつ、｜Ｒ4a｜／Ｒ4bの値が約１．１以下になるようにしたことを特徴とする。
【００２４】
この請求項８に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、光の像面への入射角度をほぼ垂直に保つことで、シェーディングなどの発生を防止し、結像性能の劣化を回避することができる。
【００２５】
また、請求項９に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにしたことを特徴とする。
【００２６】
この請求項９に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、光の像面への入射角度をほぼ垂直に保つことで、シェーディングなどの発生を防止し、結像性能の劣化を回避することができる。また、前記第２レンズ群および前記第４レンズ群を移動させて広角端から望遠端へのズーミングを行う場合に、ズーミングを行う前記第２レンズ群および前記第４レンズ群の移動方向を一方向（物体側から像面側へ）にすることができ、前記第１レンズ群の有効系を小さくすることが可能になる。このため、レンズ系のさらなる小型化が達成できる。
【００２７】
また、請求項１０に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにし、かつ、｜Ｒ4a｜／Ｒ4bの値が約１．１以下になるようにしたことを特徴とする。
【００２８】
この請求項１０に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、光の像面への入射角度をほぼ垂直に保つことで、シェーディングなどの発生を防止し、結像性能の劣化を回避することができる。
【００２９】
また、請求項１１に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにし、かつ、｜Ｒ4a｜／Ｒ4bの値が約１．１以下になるようにしたことを特徴とする。
【００３０】
この請求項１１に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、光の像面への入射角度をほぼ垂直に保つことで、シェーディングなどの発生を防止し、結像性能の劣化を回避することができる。また、前記第２レンズ群および前記第４レンズ群を移動させて広角端から望遠端へのズーミングを行う場合に、ズーミングを行う前記第２レンズ群および前記第４レンズ群の移動方向を一方向（物体側から像面側へ）にすることができ、前記第１レンズ群の有効系を小さくすることが可能になる。このため、レンズ系のさらなる小型化が達成できる。
【００３１】
また、請求項１２に記載の発明にかかる屈曲ズームレンズは、物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、｜β2T｜の値が約１．０以下になるようにし、かつ、｜β52×（１−β4W2）｜の値が約１．０〜約２．０になるようにし、かつ、｜β52×（１−β4T2）｜の値が約１．０〜約２．０になるようにし、かつ、｜β5｜の値が約０．５以下になるようにし、かつ、｜Ｒ4a｜／Ｒ4bの値が約１．１以下になるようにしたことを特徴とする。
【００３２】
この請求項１２に記載の発明によれば、レンズ系全長の短縮化に加え、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。また、光の像面への入射角度をほぼ垂直に保つことで、シェーディングなどの発生を防止し、結像性能の劣化を回避することができる。また、前記第２レンズ群および前記第４レンズ群を移動させて広角端から望遠端へのズーミングを行う場合に、ズーミングを行う前記第２レンズ群および前記第４レンズ群の移動方向を一方向（物体側から像面側へ）にすることができ、前記第１レンズ群の有効系を小さくすることが可能になる。このため、レンズ系のさらなる小型化が達成できる。
【００３３】
また、請求項１３に記載の発明にかかる屈曲ズームレンズは、請求項１〜１２のいずれか一つに記載の発明において、前記第１レンズ群、前記第３レンズ群、または前記第５レンズ群を構成する各レンズのうち、少なくともいずれか１面に非球面が形成されていることを特徴とする。
【００３４】
この請求項１３に記載の発明によれば、前述した、請求項１〜１２のいずれか一つに記載の発明の効果に加え、諸収差の補正に優れた効果を奏する。
【発明の効果】
【００３５】
この発明によれば、小型で、結像性能が良好な屈曲ズームレンズを提供することができるという効果を奏する。また、諸収差の発生が抑制できる高性能な屈曲ズームレンズを提供することができるという効果も奏する。
【発明を実施するための最良の形態】
【００３６】
以下、この発明にかかる屈曲ズームレンズの好適な実施の形態を詳細に説明する。
【００３７】
この発明の実施の形態にかかる屈曲ズームレンズは、物体側から順に配置された、正の屈折力を有する第１レンズ群、負の屈折力を有する第２レンズ群、正の屈折力を有する第３レンズ群、負の屈折力を有する第４レンズ群、および正の屈折力を有する第５レンズ群を含み構成される。また、第１レンズ群は、物体側から順に配置された、負の屈折力を有する前側レンズ群、光路を折り曲げる光学部材、および正の屈折力を有する後側レンズ群を含み構成される。光路を折り曲げる光学部材は、プリズムやミラーなどで構成される。
【００３８】
また、この実施の形態にかかる屈曲ズームレンズでは、第１レンズ群の後側レンズ群と光軸を同じにする第２レンズ群および第４レンズ群を当該光軸に沿う方向に移動させることでズーミングを行う。また、この屈曲ズームレンズは、いわゆるリアフォーカス方式を採用しており、第４レンズ群を光軸に沿う方向に移動させることによりフォーカシングを行う。
【００３９】
この実施の形態にかかる屈曲ズームレンズでは、第１レンズ群中に光路を折り曲げる光学部材を配置しているので、直線的な光路を有するレンズ系に比べて全長を短くすることができる。また、この屈曲ズームレンズでは、ズーミングやフォーカシングの際に移動するのは、レンズ系内部に配置されている第２レンズ群や第４レンズ群のみであるので、レンズ系の全長は変化することなく、常に一定である。
【００４０】
この発明は、フォーカス群を正確な合焦位置にあわせることができなくなるような原因（たとえば製造誤差など）が生じ、フォーカス群が合焦位置からわずかにずれた程度では、結像性能が劣化することのない屈曲ズームレンズを提供することを目的としている。また、この屈曲ズームレンズは、コンパクトなデジタルスチルカメラやビデオカメラなどに用いることを想定しているため、レンズのコンパクト化はもとより、小型で画素数の多い撮像素子の性能に合った高い光学性能を備えることが必要になる。
【００４１】
そこで、まず、この実施の形態にかかる屈曲ズームレンズは、物体までの距離が無限遠である場合の第４レンズ群の広角端における結像倍率をβ4W、物体までの距離が無限遠である場合の第４レンズ群の望遠端における結像倍率をβ4T、物体までの距離が無限遠である場合の第５レンズ群の結像倍率をβ5とするとき、次の条件式を満足することが好ましい。
１．０≦｜β52×（１−β4W2）｜≦２．０      ・・・（１）
１．０≦｜β52×（１−β4T2）｜≦２．０      ・・・（２）
【００４２】
この条件式（１），（２）は、結像性能の劣化を回避するための、第４レンズ群の結像倍率と第５レンズ群の結像倍率との関係を示す式である。すなわち、条件式（１），（２）を満足するように、第４レンズ群の結像倍率と第５レンズ群の結像倍率の組み合わせを選択することで、フォーカス群である第４レンズ群を正確な合焦位置にあわせることができなくなるような原因（たとえば製造誤差など）が生じ、第４レンズ群が合焦位置からわずかにずれた程度では、結像性能が劣化することなく、良好なまま維持できる。この実施の形態では、条件式（１），（２）を満足する第４レンズ群の結像倍率と第５レンズ群の結像倍率の組み合わせの範囲は比較的広いため、それぞれの結像倍率選択の自由度が増し、好ましい。
【００４３】
ここで、｜β52×（１−β4W2）｜または｜β52×（１−β4T2）｜の値が１．０未満になると、物体までの距離が無限遠の場合での広角端および物体までの距離が比較的短い場合での望遠端における、製造誤差による結像性能の劣化を回避するためのフォーカス群（第４レンズ群）の移動が増大する。特に、物体までの距離が比較的短い場合での望遠端におけるフォーカス群の移動量の増大と結像性能の劣化が著しく、好ましくない。一方、｜β52×（１−β4W2）｜または｜β52×（１−β4T2）｜の値が２．０を超えると、ほんのわずかなフォーカス群の合焦位置のずれが生じた場合でも、結像性能が著しく劣化してしまうため、好ましくない。
【００４４】
また、条件式（１），（２）を考慮する際、物体までの距離が無限遠である場合の第５レンズ群の結像倍率β5は、次の条件式を満足することが、好ましい。
｜β5｜≦０．５      ・・・（３）
【００４５】
この条件式（３）は、良好な光の像面への入射角度を維持するための式である。｜β5｜の値が０．５を超えると、屈曲ズームレンズにおける射出瞳位置が像面へ近づきすぎて、光の像面への入射角度が垂直から大きくずれてしまう。この屈曲ズームレンズを、たとえばデジタルスチルカメラに搭載した場合は、像面位置に撮像素子の受光面が配置されるため、光の像面への入射角度が垂直から大きくずれるとシェーディングなどが発生し、結像性能の劣化を招くため、好ましくない。なお、前述のように、第４レンズ群は負の屈折力を有し、第５レンズ群は正の屈折力を有しているので、｜β5｜の値を小さくしても、光路を曲げる光学部材を有する第１レンズ群の有効系を小さく維持することができる。
【００４６】
さらに、この屈曲ズームレンズは、物体までの距離が無限遠である場合の第２レンズ群の望遠端における結像倍率をβ2Tとするとき、次の条件式を満足することが好ましい。
｜β2T｜≦１．０      ・・・（４）
【００４７】
この条件式（４）は、この実施の形態にかかる屈曲ズームレンズにおいて、広角端から望遠端へのズーミングを行う際のレンズ群の移動方向を定めるための式である。この条件式を満足することで、広角端から望遠端へのズーミングに際し、ズーミングを行う第２レンズ群および第４レンズ群の移動方向を一方向にすることができる。具体的には、第２レンズ群および第４レンズ群を物体側から像面側へ移動させることで、広角端から望遠端へズーミングを行うことができる。ズーミングに際して、レンズ群の移動を像面側に向けての一方向にしたため、物体側へレンズ群を移動させてズーミングを行う場合を考慮する必要がないため、第１レンズ群の有効系を小さくすることができる。
【００４８】
さらに、第４レンズ群を構成する各レンズの、最も物体側面の曲率半径をＲ4a、最も像面側面の曲率半径をＲ4bとするとき、次の条件式を満足することが好ましい。
｜Ｒ4a｜／Ｒ4b≦１．１      ・・・（５）
【００４９】
この条件式（５）も、良好な光の像面への入射角度を維持するための式である。｜Ｒ4a｜／Ｒ4bの値が１．１を超えると、屈曲ズームレンズにおける射出瞳位置が像面へ近づきすぎて、光の像面への入射角度が垂直から大きくずれてしまう。この屈曲ズームレンズを、たとえばデジタルスチルカメラに搭載した場合は、像面位置に撮像素子の受光面が配置されるため、光の像面への入射角度が垂直から大きくずれるとシェーディングなどが発生し、結像性能の劣化を招くため、好ましくない。
【００５０】
以上説明したように、この実施の形態の屈曲ズームレンズは、上記条件式（１），（２）を満足することで、フォーカス群を正確な合焦位置にあわせることができなくなるような原因（たとえば製造誤差など）が生じ、フォーカス群が合焦位置からわずかにずれた程度では、結像性能を劣化させることなく、良好なまま維持できる。しかし、上記条件式（１），（２）のみでなく、さらに上記条件式（３），（５）を順に満足するように構成することで、より結像性能の良好な屈曲ズームレンズを提供することができるようになる。なお、上記条件式（３）または（５）を一つのみ満足する場合であっても、結像性能の良好な屈曲ズームレンズを提供することができる。また、上記条件式（４）を満足することで、第１レンズ群の有効系を小さくすることができ、レンズ系の小型化に最適である。
【００５１】
なお、上記条件式（１）〜（５）で示された各数値の範囲は、当該数値の近傍値であれば、この発明で期待される効果は得られる。
【００５２】
また、この実施の形態の屈曲ズームレンズにおいて、第１レンズ群、第３レンズ群、または第５レンズ群を構成する各レンズのうち、少なくともいずれか１面に非球面を形成すれば、諸収差をより良好に補正することができる。
【実施例】
【００５３】
以下、この発明にかかる屈曲ズームレンズの実施例を示す。
【００５４】
（実施例１）
図１は、この発明の実施例１にかかる屈曲ズームレンズの構成を示す光軸に沿う断面図である。この屈曲ズームレンズは、図示しない物体側から順に、正の屈折力を有する第１レンズ群ＧＲ１、負の屈折力を有する第２レンズ群ＧＲ２、正の屈折力を有する第３レンズ群ＧＲ３、負の屈折力を有する第４レンズ群ＧＲ４、および正の屈折力を有する第５レンズ群ＧＲ５が配置されて構成される。
【００５５】
第１レンズ群ＧＲ１は、物体側から順に、物体側に凸面を向けた負の屈折力を有する１枚のメニスカスレンズＬ１（前側レンズ群）、光路を折り曲げるためのプリズムＰ、および正の屈折力を有する１枚の両凸レンズＬ２（後側レンズ群）が配置されて構成されている。
【００５６】
第２レンズ群ＧＲ２は、物体側から順に、負レンズＬ３、負レンズＬ４、および正レンズＬ５が配置されて構成されている。負レンズＬ４と正レンズＬ５とは、レンズ面が接合された接合レンズになっている。
【００５７】
第３レンズ群ＧＲ３は、物体側から順に、正レンズＬ６、正レンズＬ７、および負レンズＬ８が配置されて構成されている。正レンズＬ７と負レンズＬ８とは、レンズ面が接合された接合レンズになっている。また、正レンズＬ６と正レンズＬ７との間には、光量を調節する絞りＩＲが配置されている。
【００５８】
第４レンズ群ＧＲ４は、１枚の負レンズＬ９により構成されている。第５レンズ群ＧＲ５は、１枚の正レンズＬ１０により構成されている。
【００５９】
また、第５レンズ群ＧＲ５と像面ＩＭＧとの間には、物体側から順に、赤外カットフィルタやローパスフィルタなどからなるフィルタＦＬと、カバーガラスＣＧとが配置されている。なお、このカバーガラスＣＧは必須のものではなく、省略することも可能である。また、像面ＩＭＧの位置には、たとえば、この屈曲ズームレンズをデジタルスチルカメラに搭載した場合に、ＣＣＤなどの撮像素子の受光面が配置される。
【００６０】
この実施例１にかかる屈曲ズームレンズは、第１レンズ群ＧＲ１中に光路を折り曲げるためのプリズムＰを配置しているので、直線的な光路を有するレンズ系に比べて全長を短くすることができる。また、温度変化の影響を受けにくい位置に配置されるレンズは、製造コストの低減を図るため、プラスチック材で成型するとよい。たとえば、像面ＩＭＧに近い第３レンズ群ＧＲ３〜第５レンズ群ＧＲ５を構成する各レンズがそれに該当する。
【００６１】
また、この実施例１にかかる屈曲ズームレンズでは、第２レンズ群ＧＲ２と第４レンズ群ＧＲ４を光軸に沿う方向に移動させてズーミングを行う。具体的には、第２レンズ群ＧＲ２と第４レンズ群ＧＲ４を物体側から像面ＩＭＧ側へ移動させることによって、広角端から望遠端へのズーングを行う。また、この屈曲ズームレンズは、いわゆるリアフォーカス方式を採用しており、第４レンズ群ＧＲ４を光軸に沿う方向に移動させることにより、フォーカシングを行う。このように、ズーミングやフォーカシングに関与するのは、レンズ系内部に配置されている第２レンズ群や第４レンズ群のみであるので、ズーミングやフォーカシングを行ってもレンズ系の全長は変化することなく、常に一定である。
【００６２】
以下、実施例１にかかる屈曲ズームレンズに関する各種数値データを示す。
【００６３】
焦点距離（ｆ）＝5.45（広角端）〜9.18（中間端）〜15.55（望遠端）
Ｆナンバ（Ｆｎｏ．）＝3.59（広角端）〜4.13（中間端）〜4.70（望遠端）
半画角（ω）＝34.67°（広角端）〜20.82°（中間端）〜12.65°（望遠端）
｜β52×（１−β4W2）｜＝1.54
｜β52×（１−β4T2）｜＝1.52
｜β5｜＝0.018
｜β2T｜＝0.794
｜Ｒ4a｜／Ｒ4b＝0.088
【００６４】
ｒ1＝45.593
ｄ1＝0.500    ｎｄ1＝1.95825    νｄ1＝17.8
ｒ2＝8.880
ｄ2＝1.550
ｒ3＝∞
ｄ3＝7.000    ｎｄ2＝1.77621    νｄ2＝49.4
ｒ4＝∞
ｄ4＝0.679
ｒ5＝10.595（非球面）
ｄ5＝2.021    ｎｄ3＝1.62518    νｄ3＝58.0
ｒ6＝-12.565（非球面）
ｄ6＝0.500(広角端)〜3.506(中間端)〜6.172（望遠端）
ｒ7＝-52.549
ｄ7＝0.450    ｎｄ4＝1.88815    νｄ4＝40.6
ｒ8＝6.331
ｄ8＝0.897
ｒ9＝-7.298
ｄ9＝0.821    ｎｄ5＝1.83944    νｄ5＝42.5
ｒ10＝8.206
ｄ10＝1.566    ｎｄ6＝1.93323    νｄ6＝20.7
ｒ11＝-13.514
ｄ11＝6.172(広角端)〜3.167(中間端)〜0.500（望遠端）
ｒ12＝6.674（非球面）
ｄ12＝1.256    ｎｄ7＝1.83972    νｄ7＝37.0
ｒ13＝52.624（非球面）
ｄ13＝1.051
ｒ14＝∞（絞り）
ｄ14＝1.250
ｒ15＝8.344（非球面）
ｄ15＝3.001    ｎｄ8＝1.62518    νｄ8＝58.0
ｒ16＝-3.512
ｄ16＝0.450    ｎｄ9＝1.93323    νｄ9＝20.7
ｒ17＝-47.631
ｄ17＝1.217(広角端) 〜2.919(中間端)〜4.817（望遠端）
ｒ18＝-7.024
ｄ18＝0.450    ｎｄ10＝1.91048    νｄ10＝31.1
ｒ19＝80.101
ｄ19＝4.521(広角端) 〜2.818(中間端)〜0.920（望遠端）
ｒ20＝12.341（非球面）
ｄ20＝2.847    ｎｄ11＝1.52752    νｄ11＝55.5
ｒ21＝-6.728（非球面）
ｄ21＝4.752
ｒ22＝∞
ｄ22＝1.000    ｎｄ12＝1.51872    νｄ12＝64.0
ｒ23＝∞
ｄ23＝1.120
ｒ24＝∞
ｄ24＝0.500    ｎｄ13＝1.51872    νｄ13＝64.0
ｒ25＝∞
ｄ25＝0.990
【００６５】
円錐係数（Ｋ）および非球面係数（Ａ，Ｂ，Ｃ，Ｄ）
（第５面）
Ｋ＝0，
Ａ＝-2.308880×10-4，  Ｂ＝1.720570×10-5，
Ｃ＝-1.499180×10-6，  Ｄ＝5.310910×10-8
（第６面）
Ｋ＝0，
Ａ＝7.085520×10-5，  Ｂ＝1.565750×10-5，
Ｃ＝-1.396120×10-6，  Ｄ＝5.225130×10-8
（第１２面）
Ｋ＝0，
Ａ＝1.981620×10-4，  Ｂ＝-6.264060×10-5，
Ｃ＝8.678320×10-6，  Ｄ＝-7.288550×10-7
（第１３面）
Ｋ＝0，
Ａ＝2.076670×10-4，  Ｂ＝-7.789520×10-5，
Ｃ＝9.883820×10-6，  Ｄ＝-8.472410×10-7
（第１５面）
Ｋ＝0，
Ａ＝8.232250×10-6，  Ｂ＝-1.354680×10-5，
Ｃ＝4.367640×10-6，  Ｄ＝-3.745370×10-8
（第２０面）
Ｋ＝0，
Ａ＝-1.017100×10-3，  Ｂ＝2.420480×10-5，
Ｃ＝-4.532970×10-6，  Ｄ＝1.410640×10-7
（第２１面）
Ｋ＝0，
Ａ＝1.360710×10-4，  Ｂ＝3.747220×10-5，
Ｃ＝-4.340720×10-6，  Ｄ＝1.043130×10-7
【００６６】
また、図２は、実施例１にかかる屈曲ズームレンズの広角端における収差図である。図３は、実施例１にかかる屈曲ズームレンズの中間端における収差図である。図４は、実施例１にかかる屈曲ズームレンズの望遠端における収差図である。
【００６７】
（実施例２）
次に、この発明の実施例２にかかる屈曲ズームレンズを示す。この実施例２の屈曲ズームレンズの構成は、図１に示した実施例１の屈曲ズームレンズとほぼ同様であるため、詳細な説明と構成図は省略し、数値データおよび収差図のみを示すことにする。
【００６８】
以下、実施例２にかかる屈曲ズームレンズに関する各種数値データを示す。
【００６９】
焦点距離（ｆ）＝5.45（広角端）〜10.58（中間端）〜20.65（望遠端）
Ｆナンバ（Ｆｎｏ．）＝3.59（広角端）〜4.25（中間端）〜4.89（望遠端）
半画角（ω）＝34.66°（広角端）〜18.19°（中間端）〜9.60°（望遠端）
｜β52×（１−β4W2）｜＝1.72
｜β52×（１−β4T2）｜＝1.71
｜β5｜＝0.004
｜β2T｜＝0.888
｜Ｒ4a｜／Ｒ4b＝0.564
【００７０】
ｒ1＝75.870
ｄ1＝0.500    ｎｄ1＝1.95825    νｄ1＝17.8
ｒ2＝11.800
ｄ2＝1.612
ｒ3＝∞
ｄ3＝7.875    ｎｄ2＝1.77621    νｄ2＝49.4
ｒ4＝∞
ｄ4＝0.547
ｒ5＝11.465（非球面）
ｄ5＝2.228    ｎｄ3＝1.62518    νｄ3＝58.0
ｒ6＝-15.468（非球面）
ｄ6＝0.500(広角端)〜4.604(中間端)〜8.146（望遠端）
ｒ7＝-92.411
ｄ7＝0.450    ｎｄ4＝1.88815    νｄ4＝40.6
ｒ8＝6.282
ｄ8＝1.021
ｒ9＝-11.695
ｄ9＝0.768    ｎｄ5＝1.77621    νｄ5＝49.4
ｒ10＝6.714
ｄ10＝1.487    ｎｄ6＝1.93323    νｄ6＝20.7
ｒ11＝-42.846
ｄ11＝8.146(広角端)〜4.042(中間端)〜0.500（望遠端）
ｒ12＝7.215（非球面）
ｄ12＝1.268    ｎｄ7＝1.83972    νｄ7＝37.0
ｒ13＝187.471（非球面）
ｄ13＝1.013
ｒ14＝∞（絞り）
ｄ14＝1.291
ｒ15＝10.556（非球面）
ｄ15＝3.016    ｎｄ8＝1.62518    νｄ8＝58.0
ｒ16＝-3.731
ｄ16＝0.450    ｎｄ9＝1.93323    νｄ9＝20.7
ｒ17＝-28.397
ｄ17＝0.965(広角端) 〜2.952(中間端)〜5.005（望遠端）
ｒ18＝-9.846
ｄ18＝0.450    ｎｄ10＝1.91048    νｄ10＝31.1
ｒ19＝17.470
ｄ19＝5.185(広角端) 〜3.198(中間端)〜1.144（望遠端）
ｒ20＝9.462（非球面）
ｄ20＝2.887    ｎｄ11＝1.52752    νｄ11＝55.5
ｒ21＝-8.479（非球面）
ｄ21＝4.926
ｒ22＝∞
ｄ22＝1.000    ｎｄ12＝1.51872    νｄ12＝64.0
ｒ23＝∞
ｄ23＝1.120
ｒ24＝∞
ｄ24＝0.500    ｎｄ13＝1.51872    νｄ13＝64.0
ｒ25＝∞
ｄ25＝0.990
【００７１】
円錐係数（Ｋ）および非球面係数（Ａ，Ｂ，Ｃ，Ｄ）
（第５面）
Ｋ＝0，
Ａ＝-1.426860×10-4，  Ｂ＝2.984890×10-6，
Ｃ＝-2.463340×10-7，  Ｄ＝6.555250×10-9
（第６面）
Ｋ＝0，
Ａ＝7.164500×10-5，  Ｂ＝2.266100×10-6，
Ｃ＝-2.047680×10-7，  Ｄ＝6.165980×10-9
（第１２面）
Ｋ＝0，
Ａ＝2.380720×10-4，  Ｂ＝-7.667110×10-5，
Ｃ＝9.308300×10-6，  Ｄ＝-8.829670×10-7
（第１３面）
Ｋ＝0，
Ａ＝3.554480×10-4，  Ｂ＝-9.361780×10-5，
Ｃ＝8.692790×10-6，  Ｄ＝-8.567480×10-7
（第１５面）
Ｋ＝0，
Ａ＝2.112130×10-4，  Ｂ＝-2.790630×10-5，
Ｃ＝3.150180×10-6，  Ｄ＝-1.076670×10-7
（第２０面）
Ｋ＝0，
Ａ＝-6.138030×10-4，  Ｂ＝-1.736140×10-5，
Ｃ＝1.438110×10-6，  Ｄ＝2.733190×10-8
（第２１面）
Ｋ＝0，
Ａ＝2.689920×10-4，  Ｂ＝9.419830×10-6，
Ｃ＝-1.861100×10-6，  Ｄ＝1.390340×10-7
【００７２】
また、図５は、実施例２にかかる屈曲ズームレンズの広角端における収差図である。図６は、実施例２にかかる屈曲ズームレンズの中間端における収差図である。図７は、実施例２にかかる屈曲ズームレンズの望遠端における収差図である。
【００７３】
（実施例３）
次に、この発明の実施例３にかかる屈曲ズームレンズを示す。この実施例３の屈曲ズームレンズの構成も、第５レンズ群を構成するレンズが１枚多いことを除き、図１に示した実施例１の屈曲ズームレンズとほぼ同様であるため、詳細な説明と構成図は省略し、数値データおよび収差図のみを示すことにする。
【００７４】
以下、実施例３にかかる屈曲ズームレンズに関する各種数値データを示す。
【００７５】
焦点距離（ｆ）＝4.79（広角端）〜12.42（中間端）〜32.43（望遠端）
Ｆナンバ（Ｆｎｏ．）＝3.55（広角端）〜4.33（中間端）〜5.20（望遠端）
半画角（ω）＝38.23°（広角端）〜15.76°（中間端）〜6.23°（望遠端）
｜β52×（１−β4W2）｜＝1.56
｜β52×（１−β4T2）｜＝1.60
｜β5｜＝0.024
｜β2T｜＝0.903
｜Ｒ4a｜／Ｒ4b＝0.484
【００７６】
ｒ1＝62.604
ｄ1＝1.200    ｎｄ1＝1.93323    νｄ1＝20.7
ｒ2＝21.674
ｄ2＝2.796
ｒ3＝∞
ｄ3＝14.019    ｎｄ2＝1.85505    νｄ2＝23.6
ｒ4＝∞
ｄ4＝0.150
ｒ5＝16.009（非球面）
ｄ5＝3.432    ｎｄ3＝1.58680    νｄ3＝58.9
ｒ6＝-38.666（非球面）
ｄ6＝0.500(広角端)〜9.740(中間端)〜16.568（望遠端）
ｒ7＝43.895
ｄ7＝0.550    ｎｄ4＝1.91048    νｄ4＝31.1
ｒ8＝5.931
ｄ8＝2.228
ｒ9＝-24.341
ｄ9＝0.867    ｎｄ5＝1.66152    νｄ5＝50.6
ｒ10＝7.007
ｄ10＝2.020    ｎｄ6＝1.93323    νｄ6＝20.7
ｒ11＝66.439
ｄ11＝16.568(広角端)〜7.328(中間端)〜0.500（望遠端）
ｒ12＝11.326（非球面）
ｄ12＝1.518    ｎｄ7＝1.82918    νｄ7＝23.9
ｒ13＝851.729（非球面）
ｄ13＝1.038
ｒ14＝∞（絞り）
ｄ14＝1.000
ｒ15＝10.514（非球面）
ｄ15＝2.124    ｎｄ8＝1.58547    νｄ8＝59.2
ｒ16＝-4.667
ｄ16＝0.450    ｎｄ9＝1.93323    νｄ9＝20.7
ｒ17＝-18.205
ｄ17＝0.894(広角端) 〜3.681(中間端)〜6.893（望遠端）
ｒ18＝-12.175
ｄ18＝0.450    ｎｄ10＝1.83944    νｄ10＝42.5
ｒ19＝25.163
ｄ19＝7.974(広角端) 〜5.186(中間端)〜1.974（望遠端）
ｒ20＝11.915
ｄ20＝0.632    ｎｄ11＝1.76857    νｄ11＝26.4
ｒ21＝8.457
ｄ21＝0.150
ｒ22＝8.800（非球面）
ｄ22＝3.728    ｎｄ12＝1.52752    νｄ12＝55.5
ｒ23＝-10.125（非球面）
ｄ23＝8.272
ｒ24＝∞
ｄ24＝1.000    ｎｄ13＝1.51872    νｄ13＝64.0
ｒ25＝∞
ｄ25＝1.120
ｒ26＝∞
ｄ26＝0.500    ｎｄ14＝1.51872    νｄ14＝64.0
ｒ27＝∞
ｄ27＝0.990
【００７７】
円錐係数（Ｋ）および非球面係数（Ａ，Ｂ，Ｃ，Ｄ）
（第５面）
Ｋ＝0，
Ａ＝-3.617190×10-5，  Ｂ＝2.671750×10-7，
Ｃ＝-4.142870×10-9，  Ｄ＝-1.456400×10-11
（第６面）
Ｋ＝0，
Ａ＝4.611460×10-6，  Ｂ＝4.500930×10-7，
Ｃ＝-8.407020×10-9，  Ｄ＝2.606650×10-11
（第１２面）
Ｋ＝0，
Ａ＝2.320840×10-4，  Ｂ＝-4.880900×10-5，
Ｃ＝7.926510×10-7，  Ｄ＝-1.237070×10-7
（第１３面）
Ｋ＝0，
Ａ＝-3.677400×10-5，  Ｂ＝-7.188210×10-5，
Ｃ＝0，  Ｄ＝0
（第１５面）
Ｋ＝0，
Ａ＝3.916080×10-5，  Ｂ＝-7.366660×10-6，
Ｃ＝-4.213550×10-6，  Ｄ＝4.854460×10-7
（第２２面）
Ｋ＝0，
Ａ＝-1.182780×10-4，  Ｂ＝-1.592040×10-5，
Ｃ＝1.164590×10-6，  Ｄ＝-1.237840×10-8
（第２３面）
Ｋ＝0，
Ａ＝2.701630×10-4，  Ｂ＝-1.332680×10-5，
Ｃ＝4.884570×10-7，  Ｄ＝9.343980×10-9
【００７８】
また、図８は、実施例３にかかる屈曲ズームレンズの広角端における収差図である。図９は、実施例３にかかる屈曲ズームレンズの中間端における収差図である。図１０は、実施例３にかかる屈曲ズームレンズの望遠端における収差図である。
【００７９】
なお、上記数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズなどのｄ線の屈折率、νｄ1，νｄ2，・・・・は各レンズなどのアッベ数を示している。
【００８０】
また、上記各非球面形状は、光軸方向にＸ軸、光軸と垂直方向にＨ軸をとり、光の進行方向を正とするとき、以下に示す式により表される。
【００８１】
【数１】
2007171456.tif 000003
【００８２】
ただし、ｒは近軸曲率半径、Ｋは円錐係数、Ａ，Ｂ，Ｃ，Ｄはそれぞれ４次，６次，８次，１０次の非球面係数である。
【００８３】
以上説明したように、この実施例の屈曲ズームレンズは、上記条件式を満足することで、小型で、結像性能が良好な屈曲ズームレンズになる。
【００８４】
また、この実施例の屈曲ズームレンズは、非球面が形成されたレンズを含んで構成されているため、少ないレンズ枚数で、諸収差を良好に補正することができる。
【００８５】
また、温度変化の影響を受けにくい位置に配置される第３レンズ群〜第５レンズ群を構成する各レンズは、プラスチック材で成型されているため、製造コストの低減を図ることができる。
【産業上の利用可能性】
【００８６】
以上のように、この発明にかかる屈曲ズームレンズは、結像性能が良好であるため、デジタルスチルカメラやビデオカメラなどに有用であり、特に、小型で高い光学性能が要求される場合に最適である。
【図面の簡単な説明】
【００８７】
【図１】実施例１にかかる屈曲ズームレンズの構成を示す光軸に沿う断面図である。
【図２】実施例１にかかる屈曲ズームレンズの広角端における収差図である。
【図３】実施例１にかかる屈曲ズームレンズの中間端における収差図である。
【図４】実施例１にかかる屈曲ズームレンズの望遠端における収差図である。
【図５】実施例２にかかる屈曲ズームレンズの広角端における収差図である。
【図６】実施例２にかかる屈曲ズームレンズの中間端における収差図である。
【図７】実施例２にかかる屈曲ズームレンズの望遠端における収差図である。
【図８】実施例３にかかる屈曲ズームレンズの広角端における収差図である。
【図９】実施例３にかかる屈曲ズームレンズの中間端における収差図である。
【図１０】実施例３にかかる屈曲ズームレンズの望遠端における収差図である。
【符号の説明】
【００８８】
ＧＲ１  第１レンズ群
ＧＲ２  第２レンズ群
ＧＲ３  第３レンズ群
ＧＲ４  第４レンズ群
ＧＲ５  第５レンズ群
ＣＧ  カバーガラス
ＦＬ  フィルタ
ＩＭＧ  像面
ＩＲ  絞り
Ｐ  プリズム
Ｌ１  メニスカスレンズ
Ｌ２  両凸レンズ
Ｌ３，Ｌ４，Ｌ８，Ｌ９  負レンズ
Ｌ５，Ｌ６，Ｌ７，Ｌ１０  正レンズ
【図１】
2007171456.tif 000004
【図２】
2007171456.tif 000005
【図３】
2007171456.tif 000006
【図４】
2007171456.tif 000007
【図５】
2007171456.tif 000008
【図６】
2007171456.tif 000009
【図７】
2007171456.tif 000010
【図８】
2007171456.tif 000011
【図９】
2007171456.tif 000012
【図１０】
2007171456.tif 000013